(57)【特許請求の範囲】
【請求項１】
光通信路を通じて伝送されている通信光の一部を漏洩光として取り出す光取出部と、前記光取出部を覆うカバーと、前記カバーに形成された開口と、前記開口が閉鎖される閉位置と前記開口が開放される開位置との間で摺動自在に前記開口に配置されていると共に前記開位置から前記閉位置に向けて付勢されているシャッタとを有する通信光可視化コードと組み合わせて、前記光通信路の通信状況を表示する通信光検知器であって、
前記漏洩光を受光素子で検知して前記光通信路を通じて前記通信光が伝送されているか否かを判定する判定回路と、
前記判定回路の判定結果を表示する表示器と、
前記通信光可視化コードが挿入されて前記光取出部を前記受光素子に望ませる挿入溝と、
前記通信光可視化コードが前記挿入溝に挿入される時に前記シャッタを前記閉位置から前記開位置に向けて摺動させて前記開口を開放する開放部と、
を備えていることを特徴とする通信光検知器。
【請求項２】
前記挿入溝は、前記通信光可視化コードが挿入される時に前記開口が如何なる方向を向いていても、前記通信光可視化コードを摺動させることにより、前記開口を前記受光素子に望ませる絞り形状に形成されている請求項１に記載の通信光検知器。
【請求項３】
前記挿入溝を閉鎖させて前記受光素子を遮光する遮光部を更に備えている請求項１又は２に記載の通信光検知器。
【発明の詳細な説明】
【技術分野】
【０００１】
本発明は、光通信路における通信状況の目視確認を目的として光通信路を通じて伝送されている通信光の可視化を実現するための通信光可視化コード及び通信光検知器に関する。
【背景技術】
【０００２】
光通信関連設備は、光通信路における通信状況の目視確認を目的として光通信路を通じて伝送されている通信光の可視化を実現するための通信光可視化構造を実装していることがある。通信光可視化構造としては、光通信路に光散乱媒質を介在させることにより光通信路を通じて伝送されている通信光の一部を漏洩光とし、その漏洩光を受光素子で検知することにより光通信路を通じて通信光が伝送されているか否かを判定し、光通信路を通じて通信光が伝送されているか否かを発光素子や液晶画面で作業者に表示することにより光通信路における通信状況の目視確認を可能とするものが知られている（例えば、特許文献１から４を参照）。
【先行技術文献】
【特許文献】
【０００３】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００４】
通信光可視化構造を実装している光通信関連設備においては、光通信路における通信状況の目視確認が行えるため、光通信路の監視や保守等を容易に実施することができるが、通信光可視化構造は新技術であることから、通信光可視化構造を実装していない光通信関連設備も存在している。これらの光通信関連設備に通信光可視化構造を実装する場合はパッチパネルの交換が必要になることがあるが、パッチパネルの交換は著しいシステム変更や複数ポートの通信を同時に停止する必要があるという課題がある。
【０００５】
そこで、本発明の目的は、著しいシステム変更や複数ポートの通信を同時に停止することを伴わずに通信光可視化構造を実装していない光通信関連設備に通信光可視化構造を容易に実装することが可能な通信光可視化コード及び通信光検知器を提供することにある。
【課題を解決するための手段】
【０００６】
本発明は、第一光ファイバと第二光ファイバとを光接続してなる光通信路における通信状況の目視確認を目的として前記光通信路を通じて伝送されている通信光の可視化を実現するための通信光可視化コードであって、前記第一光ファイバが収容されている第一光コードと、前記第二光ファイバが収容されている第二光コードと、前記第一光コードの先端部に取り付けられている第一ブーツと、前記第二光コードの先端部に取り付けられている第二ブーツと、前記第一ブーツの先端部に取り付けられている第一加締リングと、前記第二ブーツの先端部に取り付けられている第二加締リングと、前記第一加締リングの先端部に取り付けられている第一ストッパと、前記第二加締リングの先端部に取り付けられている第二ストッパと、前記第一ストッパに保持されていると共に前記第一光ファイバの先端部が収容されている第一フェルールと、前記第二ストッパに保持されていると共に前記第二光ファイバの先端部が収容されている第二フェルールと、前記第一フェルールと前記第二フェルールとが保持されている割りスリーブと、前記第一ストッパと前記第二ストッパとの間に取り付けられていると共に前記第一フェルールと前記第二フェルールとが前記割りスリーブと共に収容されているフェルールカバーと、前記フェルールカバーに形成されている開口と、前記フェルールカバーに取り付けられていると共に前記開口が閉鎖される閉位置と前記開口が開放される開位置との間で摺動自在に配置されているシャッタと、を備えており、前記第一光ファイバと前記第二光ファイバとが前記光通信路を通じて伝送されている前記通信光の一部を漏洩光として取り出す光取出部を介して光接続されており、前記シャッタが前記開位置から前記閉位置に向けて付勢されていると共に前記光通信路における通信状況の目視確認を行わない時は前記開口が閉鎖されて前記光取出部が保護されている通信光可視化コードである。
【０００７】
前記第一光コードは、前記第一光ファイバと共に第一抗張力体を収容しており、前記第二光コードは、前記第二光ファイバと共に第二抗張力体を収容しており、前記第一抗張力体は、先端部が前記第一加締リングと前記第一ストッパとの間に挟持されており、前記第二抗張力体は、先端部が前記第二加締リングと前記第二ストッパとの間に挟持されていることが望ましい。
【０００８】
また、本発明は、前記通信光可視化コードと組み合わせて前記光通信路における通信状況の目視確認を行うための通信光検知器であって、前記漏洩光を受光素子で検知して前記光通信路を通じて前記通信光が伝送されているか否かを判定すると共に前記光通信路を通じて通信光が伝送されているか否かを作業者に表示する本体部と、前記本体部に形成されていると共に前記光通信路における通信状況の目視確認を行う時に前記通信光可視化コードが挿入されて前記光取出部を前記受光素子に望ませる挿入溝と、前記通信光可視化コードが前記挿入溝に挿入される時に前記シャッタを前記開位置から前記閉位置に向けて摺動させて前記開口を開放する開放部と、を備えている通信光検知器である。
【０００９】
前記挿入溝は、前記通信光可視化コードが挿入される時に前記開口が如何なる方向を向いていても、前記通信光可視化コードを摺動させることにより、前記開口を前記受光素子に望ませる絞り形状に形成されていることが望ましい。
【００１０】
前記挿入溝を閉鎖させて前記受光素子を遮光する遮光部を更に備えていることが望ましい。
【発明の効果】
【００１１】
本発明によれば、著しいシステム変更や複数ポートの通信を同時に停止することを伴わずに通信光可視化構造を実装していない光通信関連設備に通信光可視化構造を容易に実装することが可能な通信光可視化コード及び通信光検知器を提供することができる。
【図面の簡単な説明】
【００１２】
【図１】本発明の実施の形態に係る通信光可視化コードを示す断面図である。
【図２】図１の通信光可視化コードの第一光コードを示す断面図である。
【図３】図１の通信光可視化コードの第一ブーツを示す断面図である。
【図４】図１の通信光可視化コードの第一加締リングを示す断面図である。
【図５】図１の通信光可視化コードの第一ストッパを示す断面図である。
【図６】図１の通信光可視化コードの第一フェルールを示す断面図である。
【図７】図１の通信光可視化コードの割りスリーブを示す断面図である。
【図８】図１の通信光可視化コードのフェルールカバーを示す断面図である。
【図９】図１の通信光可視化コードのシャッタを示す断面図である。
【図１０】図９のシャッタの閉位置を説明する部分断面図である。
【図１１】図９のシャッタの開位置を説明する部分断面図である。
【図１２】本発明の実施の形態に係る通信光検知器を示す斜視図（遮光時）である。
【図１３】図１２の通信光検知器を示す斜視図である。
【図１４】本発明の実施の形態に係る通信光検知器を示す斜視図（非遮光時）である。
【図１５】図１４の通信光検知器を示す斜視図である。
【図１６】本発明の実施の形態に係る通信光検知器を示す縦断面図である。
【図１７】本発明の実施の形態に係る通信光検知器を示す部分縦断面図である。
【図１８】本発明の実施の形態に係る通信光検知器を示す横断面図である。
【発明を実施するための形態】
【００１３】
以下、本発明の実施の形態を添付図面に順って説明する。
【００１４】
図１に示す通り、本発明の実施の形態に係る通信光可視化コード１００は、第一光ファイバ１０１と第二光ファイバ１０２とを光接続してなる光通信路１０３における通信状況の目視確認を目的として光通信路１０３を通じて伝送されている通信光の可視化を実現するためのものである。光通信路１０３における通信状況としては、例えば、光通信路１０３の使用／不使用の状態が挙げられる。
【００１５】
通信光可視化コード１００は、第一光コード１０４と、第二光コード１０５と、第一ブーツ１０６と、第二ブーツ１０７と、第一加締リング１０８と、第二加締リング１０９と、第一ストッパ１１０と、第二ストッパ１１１と、第一フェルール１１２と、第二フェルール１１３と、割りスリーブ１１４と、フェルールカバー１１５と、開口１１６と、シャッタ１１７と、を備えている。
【００１６】
図２に示す通り、第一光コード１０４は、柔軟性が高いポリ塩化ビニル樹脂等を中空筒状に成形してなり、第一光ファイバ１０１と共に第一抗張力体１１８を収容している。これにより、第一光ファイバ１０１と第一抗張力体１１８とを保護することが可能となる。また、第一光ファイバ１０１は、コアとクラッドとからなる光ファイバ素線１１９と、光ファイバ素線１１９の周囲に被覆されている保護層１２０と、を有しており、先端部において保護層１２０が剥ぎ取られて光ファイバ素線１１９が露出している。
【００１７】
なお、本明細書においては、第一光ファイバ１０１と第二光ファイバ１０２とを光接続する通信光可視化コード１００の中央の端部を先端部と呼称すると共に通信光可視化コード１００の両端の端部を後端部と呼称する。
【００１８】
同様に、第二光コード１０５は、柔軟性が高いポリ塩化ビニル樹脂等を中空筒状に成形してなり、第二光ファイバ１０２と共に第二抗張力体１２１を収容している。これにより、第二光ファイバ１０２と第二抗張力体１２１とを保護することが可能となる。また、第二光ファイバ１０２は、コアとクラッドとからなる光ファイバ素線１１９と、光ファイバ素線１１９の周囲に被覆されている保護層１２０と、を有しており、先端部において保護層１２０が剥ぎ取られて光ファイバ素線１１９が露出している。
【００１９】
図３に示す通り、第一ブーツ１０６は、柔軟性が高いポリエステルエラストマー等を中空筒状に成形してなり、第一光コード１０４の先端部に取り付けられている。より詳細に言えば、第一ブーツ１０６は、内径が第一光コード１０４と第一加締リング１０８との外径差に合わせて徐々に変化しており、第一ブーツ１０６の先端部が第一加締リング１０８の後端部を被覆していると共に第一ブーツ１０６の後端部が第一光コード１０４の先端部を被覆している。また、第一ブーツ１０６は、第一ブーツ１０６を部分的に肉抜してなる肉抜部１２２を有している。これらにより、第一ブーツ１０６に対して通信光可視化コード１００の屈曲に追従して変形する程度の柔軟性を付与することができると共に通信光可視化コード１００の屈曲に伴って応力が集中し易い第一光コード１０４の先端部を保護することができるため、第一光コード１０４の疲労破断を抑制することが可能となる。更に、第一ブーツ１０６は、先端部を内側に突出させてなる爪部１２３を有している。爪部１２３は、先端部側が面取部１２４となっていると共に後端部側が角部１２５となっている。これらにより、第一ブーツ１０６と第一加締リング１０８とを容易に係合させることができると共に第一ブーツ１０６と第一加締リング１０８とが分離することを抑制することができるため、第一光コード１０４の先端部をより確実に保護することが可能となる。また、第一ブーツ１０６は、内周面に段差を形成してなる段差部１２６を有している。これにより、第一加締リング１０８が第一ブーツ１０６に過度に挿入されることを抑制することが可能となる。
【００２０】
同様に、第二ブーツ１０７は、柔軟性が高いポリエステルエラストマー等を中空筒状に成形してなり、第二光コード１０５の先端部に取り付けられている。より詳細に言えば、第二ブーツ１０７は、内径が第二光コード１０５と第二加締リング１０９との外径差に合わせて徐々に変化しており、第二ブーツ１０７の先端部が第二加締リング１０９の後端部を被覆していると共に第二ブーツ１０７の後端部が第二光コード１０５の先端部を被覆している。また、第二ブーツ１０７は、第二ブーツ１０７を部分的に肉抜してなる肉抜部１２２を有している。これらにより、第二ブーツ１０７に対して通信光可視化コード１００の屈曲に追従して変形する程度の柔軟性を付与することができると共に通信光可視化コード１００の屈曲に伴って応力が集中し易い第二光コード１０５の先端部を保護することができるため、第二光コード１０５の疲労破断を抑制することが可能となる。更に、第二ブーツ１０７は、先端部を内側に突出させてなる爪部１２３を有している。爪部１２３は、先端部側が面取部１２４となっていると共に後端部側が角部１２５となっている。これらにより、第二ブーツ１０７と第二加締リング１０９とを容易に係合させることができると共に第二ブーツ１０７と第二加締リング１０９とが分離することを抑制することができるため、第二光コード１０５の先端部をより確実に保護することが可能となる。また、第二ブーツ１０７は、内周面に段差を形成してなる段差部１２６を有している。これにより、第二加締リング１０９が第二ブーツ１０７に過度に挿入されることを抑制することが可能となる。
【００２１】
図４に示す通り、第一加締リング１０８は、加工性が高いアルミニウム等を中空筒状に成形してなり、第一ブーツ１０６の先端部に取り付けられている。これにより、第一加締リング１０８を第一ストッパ１１０に容易に加締めることが可能となる。また、第一加締リング１０８は、外周面に溝を形成してなる溝部１２７を有している。これにより、第一ブーツ１０６の爪部１２３を第一加締リング１０８の溝部１２７に係合させて第一ブーツ１０６と第一加締リング１０８とを強固に固定することが可能となる。また、第一加締リング１０８は、内周面に段差を形成してなる段差部１２８を有している。これにより、第一ストッパ１１０が第一加締リング１０８に過度に挿入されることを抑制することが可能となる。更に、第一加締リング１０８は、先端と後端の内周面が面取部１２９となっている。これにより、第一加締リング１０８に対する第一ストッパ１１０の挿入を容易にし、第一光コード１０４の第一抗張力体１１８の損傷を防ぐことが可能となる。
【００２２】
同様に、第二加締リング１０９は、加工性が高いアルミニウム等を中空筒状に成形してなり、第二ブーツ１０７の先端部に取り付けられている。これにより、第二加締リング１０９を第二ストッパ１１１に容易に加締めることが可能となる。また、第二加締リング１０９は、外周面に溝を形成してなる溝部１２７を有している。これにより、第二ブーツ１０７の爪部１２３を第二加締リング１０９の溝部１２７に係合させて第二ブーツ１０７と第二加締リング１０９とを強固に固定することが可能となる。また、第二加締リング１０９は、内周面に段差を形成してなる段差部１２８を有している。これにより、第二ストッパ１１１が第二加締リング１０９に過度に挿入されることを抑制することが可能となる。更に、第二加締リング１０９は、先端と後端の内周面が面取部１２９となっている。これにより、第二加締リング１０９に対する第二ストッパ１１１の挿入を容易にし、第二光コード１０５の第二抗張力体１２１の損傷を防ぐことが可能となる。
【００２３】
図５に示す通り、第一ストッパ１１０は、硬度が高い黄銅やステンレス等を中空筒状に成形してなり、第一加締リング１０８の先端部に取り付けられている。これにより、第一ストッパ１１０が変形し難くなるため、第一ストッパ１１０と第二ストッパ１１１とをフェルールカバー１１５を介して強固に固定することが可能となる。即ち、第一ストッパ１１０と第二ストッパ１１１とは第一抗張力体１１８や第二抗張力体１２１に頼らなくても相互に分離し難い。また、第一ストッパ１１０は、外周面に溝を形成してなる溝部１３０を有している。これにより、第一抗張力体１１８を第一加締リング１０８と第一ストッパ１１０との間に確実に挟持させることができるため、通信光可視化コード１００が引っ張られても第一ブーツ１０６と第一加締リング１０８とが分離し難くなるため、通信光可視化コード１００の引張特性を向上させることが可能となる。なお、第一抗張力体１１８は、引張強度が高いケプラー繊維等を糸状に撚り合わせてなる。また、第一ストッパ１１０は、内周面に段差を形成してなる段差部１３１を有しており、さらにこの段差部１３１と第一フェルール１１２との間にバネ１４４が設けられている。これにより、第一フェルール１１２が第一ストッパ１１０に過度に挿入されることを抑制することができると共に、バネ１４４により第一光ファイバ１０１を第二光ファイバ１０２に向かって押し付けることができるため、第一光ファイバ１０１が引っ張られても第一光ファイバ１０１と第二光ファイバ１０２との間の距離が変化し難く、これらの光接続を安定化させることが可能となる。更に、第一ストッパ１１０は、先端部に孔を空けてなる孔部１３２を有している。これにより、フェルールカバー１１５を第一ストッパ１１０に強固に係合させてフェルールカバー１１５と第一ストッパ１１０とが分離することを抑制することができるため、通信光可視化コード１００の引張特性を向上させることが可能となる。
【００２４】
同様に、第二ストッパ１１１は、硬度が高い黄銅やステンレス等を中空筒状に成形してなり、第二加締リング１０９の先端部に取り付けられている。これにより、第二ストッパ１１１が変形し難くなるため、第二ストッパ１１１と第一ストッパ１１０とをフェルールカバー１１５を介して強固に固定することが可能となる。即ち、第二ストッパ１１１と第一ストッパ１１０とは第二抗張力体１２１や第一抗張力体１１８に頼らなくても相互に分離し難い。また、第二ストッパ１１１は、外周面に溝を形成してなる溝部１３０を有している。これにより、第二抗張力体１２１を第二加締リング１０９と第二ストッパ１１１との間に確実に挟持させることができるため、通信光可視化コード１００が引っ張られても第二ブーツ１０７と第二加締リング１０９とが分離し難くなるため、通信光可視化コード１００の引張特性を向上させることが可能となる。なお、第二抗張力体１２１は、引張強度が高いケプラー繊維等を糸状に撚り合わせてなる。また、第二ストッパ１１１は、内周面に段差を形成してなる段差部１３１を有している。これにより、第二フェルール１１３が第二ストッパ１１１に過度に挿入されることを抑制することができるため、第二光ファイバ１０２が引っ張られても第二光ファイバ１０２と第一光ファイバ１０１との間の距離が変化し難く、これらの光接続を安定化させることが可能となる。更に、第二ストッパ１１１は、先端部に孔を空けてなる孔部１３２を有している。これにより、フェルールカバー１１５を第二ストッパ１１１に強固に係合させてフェルールカバー１１５と第二ストッパ１１１とが分離することを抑制することができるため、通信光可視化コード１００の引張特性を向上させることが可能となる。
【００２５】
図６に示す通り、第一フェルール１１２は、通信光（漏洩光）に対して透明であるジルコニア等を中空筒状に成形してなるフェルール本体１３３と、硬度が高い黄銅やステンレス等を中空筒状に成形してなると共にフェルール本体１３３を保持するフランジ部１３４と、を有している。また、第一フェルール１１２は、第一ストッパ１１０に保持されていると共に第一光ファイバ１０１の先端部を収容している。より詳細に言えば、第一フェルール１１２のフランジ部１３４が第一ストッパ１１０に保持されていると共に第一光ファイバ１０１の先端部が第一フェルール１１２のフェルール本体１３３に収容されている。また、フランジ部１３４は、外周面に段差を形成してなる段差部１３６を有していると共に内周面に段差を形成してなる段差部１３７を有している。これらにより、フランジ部１３４が第一ストッパ１１０に過度に挿入されることを抑制すると共にフェルール本体１３３がフランジ部１３４に過度に挿入されることを抑制することができるため、第一光ファイバ１０１が引っ張られても第一光ファイバ１０１と第二光ファイバ１０２との間の距離が変化し難く、これらの光接続を安定化させることが可能となる。更に、フェルール本体１３３の後端の内周面が面取部１３８となっており、フランジ部１３４の後端の内周面が面取部１３９となっている。これにより、フェルール本体１３３とフランジ部１３４に対する第一光ファイバ１０１の挿入を容易にすることが可能となる。
【００２６】
同様に、第二フェルール１１３は、通信光（漏洩光）に対して透明であるジルコニア等を中空筒状に成形してなるフェルール本体１３３と、硬度が高い黄銅やステンレス等を中空筒状に成形してなると共にフェルール本体１３３を保持するフランジ部１３４と、を有している。また、第二フェルール１１３は、第二ストッパ１１１に保持されていると共に第二光ファイバ１０２の先端部を収容している。より詳細に言えば、第二フェルール１１３のフランジ部１３４が第二ストッパ１１１に保持されていると共に第二光ファイバ１０２の先端部が第二フェルール１１３のフェルール本体１３３に収容されている。また、フランジ部１３４は、外周面に段差を形成してなる段差部１３６を有していると共に内周面に段差を形成してなる段差部１３７を有している。これらにより、フランジ部１３４が第二ストッパ１１１に過度に挿入されることを抑制すると共にフェルール本体１３３がフランジ部１３４に過度に挿入されることを抑制することができるため、第二光ファイバ１０２が引っ張られても第二光ファイバ１０２と第一光ファイバ１０１との間の距離が変化し難く、これらの光接続を安定化させることが可能となる。更に、フェルール本体１３３の後端の内周面が面取部１３８となっており、フランジ部１３４の後端の内周面が面取部１３９となっている。これにより、フェルール本体１３３とフランジ部１３４に対する第二光ファイバ１０２の挿入を容易にすることが可能となる。
【００２７】
図７に示す通り、割りスリーブ１１４は、通信光（漏洩光）に対して透明であるジルコニア等をスリット１４０が存在している中空筒状に成形してなり、第一フェルール１１２と第二フェルール１１３とを保持している。これにより、第一光ファイバ１０１と第二光ファイバ１０２との間で光軸を所望の位置に適切に配置することができるため、第一光ファイバ１０１と第二光ファイバ１０２との間で光軸を適切に軸ズレさせて光通信路１０３を通じて伝送されている通信光の一部を漏洩光として取り出す光取出部１３５を形成することができる。なお、光取出部１３５は、特に構造が限定される訳ではなく、第一光ファイバ１０１と第二光ファイバ１０２との間で光軸を軸ズレさせる他にも、第一光ファイバ１０１と第二光ファイバ１０２とのコア径差を利用して光通信路１０３を通じて伝送されている通信光の一部を漏洩光として取り出すこともできる。
【００２８】
図８に示す通り、フェルールカバー１１５は、通信光（漏洩光）に対して不透明であるポリフェニレンサルファイド樹脂等を中空筒状に成形してなり、第一ストッパ１１０と第二ストッパ１１１との間に取り付けられていると共に第一フェルール１１２と第二フェルール１１３とを割りスリーブ１１４と共に収容している。これにより、光取出部１３５を含む通信光可視化構造を保護することが可能となる。また、フェルールカバー１１５は、外周面に突起を形成してなる突起部１４１を有している。これにより、フェルールカバー１１５の突起部１４１を第一ストッパ１１０と第二ストッパ１１１の孔部１３２に係合させてフェルールカバー１１５と第一ストッパ１１０と第二ストッパ１１１とを強固に固定することが可能となる。更に、開口１１６は、フェルールカバー１１５に形成されている。これにより、漏洩光をフェルールカバー１１５の外部に漏らすことが可能となる。
【００２９】
図９に示す通り、シャッタ１１７は、通信光（漏洩光）に対して不透明であるポリフェニレンサルファイド樹脂等を中空筒状に成形してなり、フェルールカバー１１５に取り付けられていると共に開口１１６が閉鎖される閉位置（図１０を参照）と開口が開放される開位置（図１１を参照）との間で摺動自在に配置されている。これにより、漏洩光をフェルールカバー１１５の外部に漏らすか否かを切り替えることができると共に漏洩光をフェルールカバー１１５の外部に漏らす必要がない時に光取出部１３５を含む通信光可視化構造を保護することが可能となる。また、シャッタ１１７は、バネ等の付勢部品１４２を使用して開位置から閉位置に向けて付勢されている。そのため、光通信路１０３における通信状況の目視確認を行わない時は開口１１６が自動的に閉鎖されて光取出部１３５が保護されることになる。更に、シャッタ１１７は、フェルールカバー１１５の外部に突出するノブ１４３を有している。これにより、シャッタ１１７を閉位置から開位置に向けて容易に摺動させることが可能となる。
【００３０】
これまで説明してきた通信光可視化コード１００によれば、１ポートずつ既存のパッチコードを通信光可視化コード１００に交換するだけで通信光可視化構造を実装していない光通信関連設備に通信光可視化構造を実装することができるため、著しいシステム変更や複数ポートの通信を同時に停止することを伴わずに通信光可視化構造を実装していない光通信関連設備に通信光可視化構造を容易に実装することが可能となる。
【００３１】
また、通信光可視化コード１００によれば、第一抗張力体１１８と第二抗張力体１２１とを使用して通信光可視化コード１００の引張特性を向上させているため、例えば、７ｋｇｆ程度の引っ張りにも耐えることが可能となる。
【００３２】
なお、通信光可視化コード１００を使用して光通信路１０３における通信状況の目視確認を行う時はシャッタ１１７を閉位置から開位置に向けて摺動させて開口１１６を開放し、開口１１６を通じてフェルールカバー１１５の外部に漏れる漏洩光を受光素子で検知して光通信路１０３を通じて通信光が伝送されているか否かを判定すると共に光通信路１０３を通じて通信光が伝送されているか否かを作業者に表示する必要がある。ところが、光通信路１０３における通信状況の目視確認を行う度に手動でシャッタ１１７を摺動させることは煩わしい。そのため、本発明者等は、通信光可視化コード１００と組み合わせて使用する通信光検知器を開発した。
【００３３】
即ち、図１２から図１６に示す通り、本発明の実施の形態に係る通信光検知器２００は、通信光可視化コード１００と組み合わせて光通信路１０３における通信状況の目視確認を行うためのものであり、本体部２０１と、挿入溝２０２と、開放部２０３と、遮光部２０４と、を備えている。
【００３４】
本体部２０１は、漏洩光を受光素子２０５で検知すると共に判定回路２０６で光通信路１０３を通じて通信光が伝送されているか否かを判定し、その結果を受け、発光素子や液晶画面等の表示器２０７で光通信路１０３を通じて通信光が伝送されているか否かを作業者に表示するものである。
【００３５】
挿入溝２０２は、本体部２０１に形成されていると共に光通信路１０３における通信状況の目視確認を行う時に通信光可視化コード１００が挿入されて光取出部１３５を受光素子２０５に望ませるものである。また、挿入溝２０２は、通信光可視化コード１００が挿入される時に開口１１６が如何なる方向を向いていても、通信光可視化コード１００を摺動させることにより、開口１１６を受光素子２０５に望ませる絞り形状に形成されている。即ち、挿入溝２０２は、図１６の図示左端から図示中央に掛けて内径が窄まっており、且つ、シャッタ１１７のノブ１４３を開口１１６の方向に案内する切り込み２０８を有している。これらにより、第二光コード１０５を挿入溝２０２に挿入し、その後、第二光コード１０５を図示右側に引っ張って通信光可視化コード１００を摺動させることにより、図１７に示す通り、ノブ１４３が切り込み２０８に沿って図示上方に向けて案内されて開口１１６が受光素子２０５に望むと共にシャッタ１１７が自動的に閉位置から開位置に向けて摺動されて光取出部１３５が受光素子２０５に望むため、受光素子２０５で漏洩光を容易に検知することが可能となる。
【００３６】
開放部２０３は、通信光可視化コード１００が挿入溝２０２に挿入される時にシャッタ１１７を開位置から閉位置に向けて摺動させて開口１１６を開放するものである。ここでは、受光素子２０５の一部をノブ１４３に当接させることにより、開放部２０３としての機能を果たさせている。これにより、追加部品を必要とせずにシャッタ１１７を自動的に閉位置から開位置に向けて摺動させることが可能となる。
【００３７】
遮光部２０４は、押しボタン２０９と一体に断面コ字状に形成されており、押しボタン２０９を押圧することで開放されるようになっている（図１２から図１５を参照）。図１８に示す通り、押しボタン２０９は、遮光部２０４により挿入溝２０２を閉鎖する方向にバネ２１０で付勢されている。これにより、挿入溝２０２が自動的に閉鎖されるため、光通信路１０３における通信状況の目視確認を行う時に受光素子２０５に漏洩光以外の光が侵入することを抑制すると共に通信光可視化コード１００が挿入溝２０２から抜けることを抑制することができるため、光通信路１０３における通信状況の目視確認をより確実に実施することが可能となる。
【００３８】
これまで説明してきた通信光検知器２００によれば、通信光可視化コード１００と組み合わせて使用することにより、光通信路１０３における通信状況の目視確認を容易に行えるようになる。
【符号の説明】
【００３９】
１００  通信光可視化コード
１０１  第一光ファイバ
１０２  第二光ファイバ
１０３  光通信路
１０４  第一光コード
１０５  第二光コード
１０６  第一ブーツ
１０７  第二ブーツ
１０８  第一加締リング
１０９  第二加締リング
１１０  第一ストッパ
１１１  第二ストッパ
１１２  第一フェルール
１１３  第二フェルール
１１４  スリーブ
１１５  フェルールカバー
１１６  開口
１１７  シャッタ
１１８  第一抗張力体
１１９  光ファイバ素線
１２０  保護層
１２１  第二抗張力体
１２２  肉抜部
１２３  爪部
１２４  面取部
１２５  角部
１２６  段差部
１２７  溝部
１２８  段差部
１２９  面取部
１３０  溝部
１３１  段差部
１３２  孔部
１３３  フェルール本体
１３４  フランジ部
１３５  光取出部
１３６  段差部
１３７  段差部
１３８  面取部
１３９  面取部
１４０  スリット
１４１  突起部
１４２  付勢部品
１４３  ノブ
１４４  バネ
２０１  本体部
２０２  挿入溝
２０３  開放部
２０４  遮光部
２０５  受光素子
２０６  判定回路
２０７  表示器
２０８  切り込み
２０９  押しボタン
２１０  バネ
【図１】
0006447371.tif 000002
【図２】
0006447371.tif 000003
【図３】
0006447371.tif 000004
【図４】
0006447371.tif 000005
【図５】
0006447371.tif 000006
【図６】
0006447371.tif 000007
【図７】
0006447371.tif 000008
【図８】
0006447371.tif 000009
【図９】
0006447371.tif 000010
【図１０】
0006447371.tif 000011
【図１１】
0006447371.tif 000012
【図１２】
0006447371.tif 000013
【図１３】
0006447371.tif 000014
【図１４】
0006447371.tif 000015
【図１５】
0006447371.tif 000016
【図１６】
0006447371.tif 000017
【図１７】
0006447371.tif 000018
【図１８】
0006447371.tif 000019